(57)【特許請求の範囲】
【請求項１】
ドア枠本体及び前記ドア枠本体の一面に設けられる戸当り線を備えるドア枠部品と、複数の固定部品と、を備え、
前記戸当り線と前記ドア枠本体との間に衝突防止溝を画定形成し、前記衝突防止溝内に衝突防止バーが設けられ、
前記複数の固定部品は、前記ドア枠本体における前記衝突防止溝に近づく箇所に埋設されると共に、前記ドア枠部品の前記ドア枠本体を壁に固定するように前記ドア枠部品の前記ドア枠本体及び前記壁を通しており、前記ドア枠本体の外観表面に現れないように前記ドア枠本体の外観表面から現れる部分が前記衝突防止バーにカバーされ、
前記ドア枠部品にはドア板を枢支するためのヒンジが設けられ、前記ドア枠本体の外観表面に現れないように、前記ドア枠部品における前記ヒンジの底部でカバーされる箇所には前記ドア枠部品の前記ドア枠本体及び壁を通す前記複数の固定部品が設けられ、
前記ドア枠部品には掛け金に配合するための舌片が設けられ、前記ドア枠本体の外観表面に現れないように、前記ドア枠部品における前記舌片の底部でカバーされる箇所には前記ドア枠部品の前記ドア枠本体及び壁を通す前記複数の固定部品が設けられることを特徴とするドア枠構造。
【請求項２】
前記戸当り線が内側凸部及びアーム部を有し、前記内側凸部が前記ドア枠本体の表面に突出し、前記内側凸部がドア枠本体の一端に延伸して前記アーム部を形成することを特徴とする請求項１に記載のドア枠構造。
【請求項３】
前記ドア枠部品が３つ設置され、１つの前記ドア枠部品の両端がそれぞれ他の２つの前記ドア枠部品の一端に連接し、前記３つのドア枠部品が前記壁に固定されることを特徴とする請求項１に記載のドア枠構造。
【請求項４】
前記ドア枠本体の一面が衝突防止溝に近づいて位置づけ溝を凹設し、前記複数の固定部品が前記位置づけ溝に収納されることを特徴とする請求項３に記載のドア枠構造。
【請求項５】
前記ドア枠部品が更に２つの線板を含み、前記ドア枠本体の両端にそれぞれスロットを設け、前記線板が前記スロットに着脱可能に挿着されることを特徴とする請求項１に記載のドア枠構造。
【発明の詳細な説明】
【技術分野】
【０００１】
本発明はドア枠構造に関し、特にドア枠を壁に取り付けるためのドア枠構造に関する。
【背景技術】
【０００２】
図１を参照し、従来のドア枠構造１ａがドア枠本体１１ａ及び戸当り線１２ａを備える。ドア枠本体１１ａと戸当り線１２ａとが一体成形される。ドア枠本体１１ａの一面が２つの研磨面溝１１１ａを持ち、ドア枠本体１１ａの他面が延びて戸当り線１２ａを形成する。釘２ａの一端が壁３ａ（例えば、レンガの壁）に埋設固定され、且つ釘２ａの他端がドア枠本体１１ａを通してドア枠構造１ａを壁３ａに固定する。戸当り線１２ａの一側面がドア板４ａに接触し、研磨面溝１１１ａにそれぞれ研磨面５ａを設け、研磨面５ａが壁３ａの表面に舗設される。
【０００３】
更に、図２を参照し、他の従来のドア枠構造１ａの相違点は、ドア枠本体１１ａの他面に戸当り挿着溝１１２ａがあり、戸当り線１２ａが分離式のデザインを用いて、戸当り挿着部１２１ａがあり、戸当り挿着部１２１ａの寸法が戸当り挿着溝１１２ａの寸法に対応し、戸当り線１２ａが戸当り挿着溝１１２ａに着脱可能に挿着されることにある。釘２ａが戸当り挿着溝１１２ａからドア枠本体１１ａを通してもよく、ドア枠構造１ａを壁３ａに固定する。
【０００４】
また、図３及び図４を参照し、図３における壁３ａがＣ形鋼３１ａならなり、図４における壁３ａの外部に一字形鉄３２ａを折ってなる部品を設け、ドア枠構造１ａがボルト２ｂで壁３ａに固定される。
【０００５】
また、図５を参照し、他の従来のドア枠構造１ａであって、相違点はドア枠本体１１ａの両側にそれぞれ線板１３ａを挿設する。
【０００６】
従来のドア枠構造１ａが以下の欠点がある。
１．ドア枠本体１１ａを壁３ａに固定する前に、釘２ａを壁３ａに埋設固定する必要があり、施工工程を増やし、施工時間が長い。
２．戸当り線１２ａがドア枠本体１１ａに挿着され、釘２ａの一端が戸当り線１２ａを通して戸当り線１２ａをドア枠本体１１ａに固定し、釘２ａの他端が戸当り線１２ａの表面に現れて、外観上の美観に影響する。
３．ドア板４ａが戸当り線１２ａに衝撃する力が大きく、衝撃音が大きい。
【発明の概要】
【発明が解決しようとする課題】
【０００７】
本発明の目的は、施工上の便利性を向上し、且つ美観効果を上げ、ドア板が戸当り線に衝撃する力を下げ、衝撃音を下げるドア枠構造を提供することにある。
【課題を解決するための手段】
【０００８】
本発明はドア枠部品を備えるドア枠構造を提供し、前記ドア枠部品がドア枠本体及び戸当り線を備え、前記戸当り線が前記ドア枠本体の一面に設けられ、前記戸当り線と前記ドア枠本体との間に衝突防止溝を画定形成し、前記衝突防止溝内に衝突防止バーを設ける。
【発明の効果】
【０００９】
本発明は釘を予め埋設する必要がなく、施工上の便利性を向上し、且つ本発明のドア枠部品が固定部品により壁にしっかりと固定され、ドア枠部品が床、テラス完成面に直接設置され、完成面に埋入される必要がなく、完成面材料(例えば、木の床、タイル又は石材)を敷くことがなく、便利に着脱し、環境保全の効果を持つ。
本発明の固定部品がドア枠本体に設けられ、衝突防止溝に近づいて、ドア枠本体が均一に力を受け、好適な構造安定性に達する。
また、衝突防止バーが固定部品をカバーし、固定部品がドア枠本体の外観表面に直接現れることを避け、美観効果を上げる。
本発明の衝突防止バーが衝突防止溝に挿入される時に、固定部品がドア枠本体表面から現れる部分が衝突防止バーに歯合し、好適な構造安定性に達する。
本発明が衝突防止溝を設け、且つ衝突防止溝内に衝突防止バーを設けてもよく、ドア板が戸当り線に衝撃する力を下げ、衝撃音を下げることができる。
本発明の線板がドア枠本体に着脱可能に挿着され、２つの線板間の距離を調整して異なる幅の壁に配合することができ、追加加工の必要がなく、施工上の便利性を向上する。
本発明の線板が固定部品をカバーし、固定部品がドア枠本体の外観表面に直接現れることを避け、美観効果を上げる。
本発明の線板がスロットに挿入される時に、固定部品がドア枠本体の表面から現れる部分が線板に歯合し、好適な構造安定性に達する。
【図面の簡単な説明】
【００１０】
【図１】第１種従来のドア枠構造の断面図である。
【図２】第２種従来のドア枠構造の断面図である。
【図３】第３種従来のドア枠構造の断面図である。
【図４】第４種従来のドア枠構造の断面図である。
【図５】第５種従来のドア枠構造の断面図である。
【図６】本発明のドア枠構造の模式図である。
【図７】本発明のドア枠構造の第１の実施形態の断面図である。
【図８】本発明のドア枠構造の第２の実施形態の断面図である。
【図９】本発明のドア枠構造の第３の実施形態の断面図である。
【図１０】本発明のドア枠構造の第４の実施形態の断面図である。
【図１１】本発明のドア枠構造の第５の実施形態の断面図である。
【図１２】本発明のドア枠構造の第６の実施形態の断面図である。
【図１３】本発明のドア枠構造の第７の実施形態の断面図である。
【図１４】本発明のドア枠構造の第８の実施形態の断面図である。
【図１５】本発明のドア枠構造の第９の実施形態の断面図である。
【図１６】本発明のドア枠構造の舌片を設けた実施形態の断面図である。
【発明を実施するための形態】
【００１１】
図６及び図７を参照し、本発明は３つのドア枠部品１及び複数の固定部品２を備えるドア枠構造を提供する。そのうち、１つのドア枠部品１の両端がそれぞれその他の２つのドア枠部品１の一端に連接し、前記ドア枠部品１が壁３のドア開け空間３１の周りに囲み、本実施例において該壁３がレンガの壁３２からなる。そして、複数の固定部品２で前記３つのドア枠部品１を壁３に固定し、更にドア板４（例えば、図７）を取り付け、出入りのために用いる。
【００１２】
それぞれのドア枠部品１がドア枠本体１１及び戸当り線１２を備える。ドア枠本体１１が長い柱状体であり、ドア開け空間３１の寸法に応じて適当な寸法のドア枠本体１１を用いることができ、ドア枠本体１１が外側面１１１と、外側面１１１の逆にある内側面１１２と、前端面１１３と、前端面１１３の逆にある後端面１１４とを含み、外側面１１１及び内側面１１２の両端がそれぞれ前端面１１３及び後端面１１４に隣接する。ドア枠構造が壁３に固定された時に、ドア枠本体１１の外側面１１１が壁３に接触し、内側面１１２がドア開け空間３１の方向を向く。
【００１３】
戸当り線１２がドア枠本体１１の一面に設けられ、即ち戸当り線１２がドア枠本体１１の内側面１１２に設けられ、戸当り線１２とドア枠本体１１とが一体成形する。戸当り線１２が内側凸部１２１及びアーム部１２２を有し、内側凸部１２１がドア枠本体１１の表面に突出し、且つ内側凸部１２１がドア枠本体１１の一端(前端面１１３)に延伸してアーム部１２２を形成し、戸当り線１２とドア枠本体１１との間に衝突防止溝１２３を画定形成する。
【００１４】
ドア枠構造にドア板４を取り付ける時に、ドア板４の一側がドア枠構造に枢支され、ドア板４がドア枠構造の周りに揺れてドア開け状態又は閉じ状態を呈する。ドア板４が開け状態を呈する時（例えば、図７）に、ドア板４が戸当り線１２のアーム部１２２に当接する。このほか、衝突防止溝１２３に衝突防止バー１３を設けてもよく、ドア板４が戸当り線１２に衝撃する力を下げ、且つ衝撃音を下げることができる。
【００１５】
前記複数の固定部品２が各ドア枠本体１１の縦方向に沿って均一に分布される。固定部品２が釘、Ｕ形釘又はボルトであってもよい。固定部品２を埋設する位置が固定の効果に影響し、固定部品２がドア枠本体１１に設けられ衝突防止溝１２３に近づいて、固定部品２がドア枠部品１のドア枠本体１１及び壁３を通し、ドア枠部品１のドア枠本体１１を壁３に固定する。このほか、衝突防止バー１３が固定部品２をカバーし、固定部品２がドア枠本体１１の外観表面に直接現れることを避け、美観効果を上げる。言及する価値があるのは、固定部品２がドア枠本体１１に埋設され衝突防止溝１２３に近づく時に、衝突防止バー１３の固定効果を上げることができる。衝突防止バー１３が衝突防止溝１２３に挿入される時に、固定部品２がドア枠本体１１表面から現れる部分が衝突防止バー１３に歯合し、好適な構造安定性に達する。
【００１６】
また、図８〜１０を参照し、本発明のドア枠部品１の形状及び構造が制限されなく、実際の必要によって各種の変換をしてもよく、該壁３がレンガの壁(又はＲＣ壁)３２、Ｃ形鋼３３又は一字形鉄３４を折ってなる部品などで構成するが、これに限られない。
【００１７】
また、図１１及び図１２を参照し、本発明の各ドア枠部品１が更に２つの線板１４を含んでもよく、ドア枠本体１１の前端面１１３及び後端面１１４にそれぞれスロット１１５を設け、線板１４がスロット１１５に着脱可能に挿着される。線板１４が線板挿着部１４１及び圧迫部１４２を有し、線板挿着部１４１がスロット１１５に挿入され、且つ線板挿着部１４１がドア枠本体１１外側面１１１方向に延伸して圧迫部１４２を形成する。圧迫部１４２が外側面１１１の表面に突出し、前記２つの線板１４とドア枠本体１１との間に圧迫溝１４３を画定形成する。このほか、後端面１１４が外側面１１１に近づいて延伸部１１６を設ける。ドア枠構造が壁３に取り付けられる時に、壁３が外側面１１１に接触し、且つ圧迫溝１４３内にある。線板１４が着脱可能な方式でドア枠本体１１に挿着されるので、壁３の寸法に応じて前記２つの線板１４間の圧迫距離Ｄを調整し、圧迫部１４２が壁３に圧迫し、更にドア枠本体１１を壁３に固定する。このため、ドア枠構造が広い壁３に取り付けられる時(例えば、図１２)に、長い圧迫距離Ｄが線板１４を広い壁３に圧迫させ、固定の効果に達し、追加加工の必要がなく、施工上の便利性を向上する。このほか、前記２つの圧迫部１４２の長さが適当に伸び又は縮むことができ、長い圧迫部１４２と壁３との間に大きい接触面積があり、固定の効果を上げる。言い換えれば、前記２つの圧迫部１４２の長さが異なってもよく、同じであってもよい。
【００１８】
固定部品２が埋設される位置が固定の効果に影響する。固定部品２がドア枠本体１１の延伸部１１６に埋設され、及び衝突防止溝１２３に近づいて埋設されることができ、固定部品２がドア枠本体１１及び壁３を通し、ドア枠本体１１を壁３に固定する。線板１４又は衝突防止バー１３がスロット１１５又は衝突防止溝１２３に挿入される時、固定部品２がドア枠本体１１表面から現れる部分が線板１４又は衝突防止バー１３に歯合し、好適な構造安定性に達する。
【００１９】
また、図１３を参照し、本発明のドア枠部品１の寸法が大きい時に、更にドア枠部品１に設けられドア板を枢支するためのヒンジ５の底部に、又は掛け金に配合するための舌片６(図１６に示すように)の底部に適当な数の固定部品２を増設してもよく、該固定部品２がヒンジ５又は舌片６でカバーされ、該固定部品２がドア枠部品１のドア枠本体１１及び壁３を通し、これでロックの効果を上げる。
【００２０】
また、図１４及び図１５を参照し、本発明のドア枠部品１のドア枠本体１１内側面１１２が衝突防止溝１２３に近づいて更に位置づけ溝１１７を凹設し、該位置づけ溝１１７が固定部品２を収納し、固定部品２によるロックと位置づけを更に安定させる。また、図１５に示すように、ドア枠部品１が更にドア板を枢支するためのヒンジ５の底部に適当な数の固定部品２を増設し、これら固定部品２がヒンジ５でカバーされ、これら固定部品２がドア枠部品１のドア枠本体１１及び壁３を通し、これでロックの効果を上げる。
【００２１】
前記によって、本発明が以下の特色を持つ。
１．本発明のドア枠部品１が固定部品２によって壁３にしっかりと固定され、ドア枠部品が床、テラス完成面に直接設置され、完成面に埋入される必要がなく、完成面材料(例えば、木の床、タイル又は石材)を敷くことがなく、便利に着脱し、環境保全の効果を持つ。
２．本発明のドア枠部品１が釘を予め埋設する必要がなく、施工上の便利性を向上する。
３．固定部品２がドア枠本体１１に設けられ衝突防止溝１２３に近づいて、固定部品２がドア枠本体１１のほぼ中間位置にあり、ドア枠本体１１が均一に力を受け、好適な構造安定性に達する。このほか、衝突防止バー１３が固定部品２をカバーし、固定部品２がドア枠本体１１の外観表面に直接現れることを避け、美観効果を上げる。
４．衝突防止バー１３が衝突防止溝１２３に内挿される時に、固定部品２がドア枠本体１１の表面から現れる部分が衝突防止バー１３に歯合し、好適な構造安定性に達する。
５．本発明のドア枠部品１に衝突防止溝１２３を設け、その中に衝突防止バー１３を設けてもよく、ドア板４が戸当り線１２に衝撃する力を下げ、且つ衝撃音を下げる。
６．線板１４がドア枠本体１１に着脱可能に挿着され、２つの線板１４間の距離が異なる幅の壁３に配合するように調整することができ、追加加工の必要がなく、施工上の便利性を向上する。
７．線板１４が固定部品２をカバーし、固定部品２がドア枠本体１１の外観表面に直接現れることを避け、美観効果を上げる。
８．線板１４がスロット１１５に挿入される時に、固定部品２がドア枠本体１１表面から現れる部分が線板１４に歯合し、好適な構造安定性に達する。
【符号の説明】
【００２２】
１ａ    ドア枠構造
１１ａ  ドア枠本体
１１１ａ    研磨面溝
１１２ａ    戸当り挿着溝
１２ａ    戸当り線
１２１ａ    戸当り挿着部
１３ａ    線板
２ａ    釘
２ｂ    ボルト
３ａ    壁
３１ａ    Ｃ形鋼
３２ａ    一字形鉄
４ａ    ドア板
５ａ    研磨面
１      ドア枠部品
１１    ドア枠本体
１１１  外側面
１１２    内側面
１１３    前端面
１１４    後端面
１１５    スロット
１１６    延伸部
１１７    位置づけ溝
１２    戸当り線
１２１    内側凸部
１２２    アーム部
１２３    衝突防止溝
１３    衝突防止バー
１４    線板
１４１    線板挿着部
１４２    圧迫部
１４３    圧迫溝
２      固定部品
３      壁
３１    ドア開け空間
３２    レンガの壁
３３    Ｃ形鋼
３４    一字形鉄
４      ドア板
５      ヒンジ
６      舌片
【図１】
0005530302.tif 000002
【図２】
0005530302.tif 000003
【図３】
0005530302.tif 000004
【図４】
0005530302.tif 000005
【図５】
0005530302.tif 000006
【図６】
0005530302.tif 000007
【図７】
0005530302.tif 000008
【図８】
0005530302.tif 000009
【図９】
0005530302.tif 000010
【図１０】
0005530302.tif 000011
【図１１】
0005530302.tif 000012
【図１２】
0005530302.tif 000013
【図１３】
0005530302.tif 000014
【図１４】
0005530302.tif 000015
【図１５】
0005530302.tif 000016
【図１６】
0005530302.tif 000017